(57)【要約】【課題】電気機器の内部における電線の配索自由度を低下させることなく電気機器内への浸水を防止する。【解決手段】電気機器１５の取付け構造は、ケーシング１７の背面１７Ｒから引き出された電線２２を有し、背面１７Ｒを浴室１０の壁板１１の内面１１Ｆと対向させ、電線２２を壁板１１の配線用開口部１４から壁裏空間１３へ導出させた状態で取り付けられる電気機器１５と、ケーシング１７の背面１７Ｒよりも壁板１１側に配され、電線２２を当接させることで電線２２が上方へ変位することを規制可能な押え部３２とを備える。電線２２が押え部３２に当接することで、電線２２のうちケーシング１７の背面１７Ｒと押え部との間の姿勢保持領域２２Ｈが、壁板１１側からケーシング１７側に向かって高くなるように傾斜した姿勢に保持される。【選択図】図１
2019149327.tif 000002
【特許請求の範囲】
【請求項１】
浴室を構成する壁板と、
前記壁板に形成され、前記浴室内と前記浴室外の壁裏空間とを連通させる配線用開口部と、
ケーシングの背面から引き出された電線を有し、前記背面を前記壁板の内面と対向させ、前記電線を前記配線用開口部から前記壁裏空間へ導出させた状態で取り付けられる電気機器と、
前記ケーシングの前記背面よりも前記壁板側に配され、前記電線を当接させることで前記電線が上方へ変位することを規制可能な押え部とを備え、
前記電線が前記押え部に当接することで、前記電線のうち前記ケーシングの前記背面と前記押え部との間の領域が、水平な姿勢、又は前記壁板側から前記ケーシング側に向かって高くなるように傾斜した姿勢に保持されることを特徴とする電気機器の取付け構造。
【請求項２】
前記電線が前記押え部に当接した状態では、前記電線のうち前記壁裏空間側から前記電気機器側に向かって低くなるように屈曲した屈曲領域が、前記壁裏空間内のみに配されることを特徴とする請求項１記載の電気機器の取付け構造。
【請求項３】
前記押え部の下端は、前記ケーシングの前記背面における電線引出孔の上端と同じ高さか、前記電線引出孔の上端より低い位置に配されていることを特徴とする請求項１又は請求項２記載の電気機器の取付け構造。
【請求項４】
前記電線機器を前記壁板に固定するための台座ブラケットを備えており、
前記押え部が、前記台座ブラケットに一体に形成されていることを特徴とする請求項１ないし請求項３のいずれか１項に記載の電気機器の取付け構造。
【発明の詳細な説明】
【技術分野】
【０００１】
本発明は、電気機器の取付け構造に関する。
【背景技術】
【０００２】
特許文献１には、浴室の壁面に電気機器を取り付けるための取付け構造が開示されている。電気機器のケーシング内には回路基板が収容され、ケーシングを構成する背面板には、貫通形態の配線穴が形成されている。回路基板に接続された複数本の電線は、配線穴を貫通してケーシングの外部に導出され、浴室の壁面の配線用開口部を通して、壁裏空間内に配索されている。
【先行技術文献】
【特許文献】
【０００３】
【特許文献１】特許第６２４９３９７号公報
【発明の概要】
【発明が解決しようとする課題】
【０００４】
浴室内に電気機器を取り付け、壁裏空間内において電線が電気機器より高い位置へ向かって配索される場合には、壁裏空間内で電線に付着した水が、重力により電線を伝って流れ、配線穴からケーシング内に浸入することが懸念される。この対策として、特許文献１では、複数本の電線を束ねてシースで外装することで外周が円形をなすハーネスを構成するとともに、配線穴に筒状をなすゴム製のグロメットを取り付け、ハーネスの外周にグロメットの内周を液密状に密着させることで、ケーシング内への浸水防止を図っている。
【０００５】
ケーシングの背面板にグロメットを取り付ける防水構造は、ケーシング内への浸水を阻止する手段としては有効である。しか、その一方で、ケーシング内におけるリード線の配索経路はグロメットの形状に依存するため、電気機器の内部における電線の配索自由度が制約されることが懸念される。信号線のように細い電線は、小さい曲率半径で自在に曲げることができるので、配索自由度が低くても大きな支障にはならない場合もある。しかし、電源線のように太くて剛性の高い電線の場合、配索自由度が低いと、電気機器を設計する上で大きな制約を受けることになる。
【０００６】
本発明は、上記従来の実情に鑑みてなされたものであって、電気機器の内部における電線の配索自由度を低下させることなく電気機器内への浸水を防止することを解決すべき課題としている。
【課題を解決するための手段】
【０００７】
本発明の電気機器の取付け構造は、
浴室を構成する壁板と、
前記壁板に形成され、前記浴室内と前記浴室外の壁裏空間とを連通させる配線用開口部と、
ケーシングの背面から引き出された電線を有し、前記背面を前記壁板の内面と対向させ、前記電線を前記配線用開口部から前記壁裏空間へ導出させた状態で取り付けられる電気機器と、
前記ケーシングの前記背面よりも前記壁板側に配され、前記電線を当接させることで前記電線が上方へ変位することを規制可能な押え部とを備え、
前記電線が前記押え部に当接することで、前記電線のうち前記ケーシングの前記背面と前記押え部との間の領域が、水平な姿勢、又は前記壁板側から前記ケーシング側に向かって高くなるように傾斜した姿勢に保持されることを特徴とする。
【発明の効果】
【０００８】
壁裏空間内において電線が電気機器より高い位置へ向かって配索される場合には、壁裏空間内で電線に付着した水が、電線を伝って流れ落ちてケーシング内に浸入することが懸念される。本発明では、ケーシングの背面と壁板との間に押え部を設け、電線のうちケーシングの背面と押え部との間の領域を、水平な姿勢、又は壁板側からケーシング側に向かって高くなるように傾斜した姿勢に保持し、電線に付着した水を壁裏空間内において電線から滴下するようにした。これにより、ケーシングに防水用のグロメットを取り付ける必要がなくなるので、グロメットを設けたことに起因して電線の配索自由度が低下する、という虞はない。
【図面の簡単な説明】
【０００９】
【図１】実施例１の電気機器の取付け構造の断面図
【図２】電気機器の機器本体と台座ブラケットを分離した状態をあらわす斜視図
【図３】電気機器の背面図
【発明を実施するための形態】
【００１０】
本発明は、前記電線が前記押え部に当接した状態では、前記電線のうち前記壁裏空間側から前記電気機器側に向かって低くなるように屈曲した屈曲領域が、前記壁裏空間内のみに配されるようになっていてもよい。この構成によれば、電線を伝って流れ落ちた水を、壁板より電気機器側へ浸入させずに、壁裏空間内で確実に滴下させることができる。
【００１１】
本発明は、前記押え部の下端は、前記ケーシングの前記背面における電線引出孔の上端と同じ高さか、前記電線引出孔の上端より低い位置に配されていてもよい。この構成によれば、電線が押え部に当接したときに、電線のうちケーシングの背面と押え部との間の領域を、水平な姿勢、又は前記壁板から前記ケーシングに向かって高くなるように傾斜した姿勢に、確実に保持することができる。
【００１２】
本発明は、前記電線機器を前記壁板に固定するための台座ブラケットを備えており、前記押え部が、前記台座ブラケットに一体に形成されていてもよい。この構成によれば、台座ブラケットとは別に、押え部が形成された専用の部材を用いる場合に比べると、部品点数を削減することができる。
【００１３】
＜実施例１＞
以下、本発明を具体化した実施例１を図１〜図３を参照して説明する。尚、以下の説明において、前後の方向については、図１における左方を前方と定義する。上下の方向については、図１〜３にあらわれる向きを、そのまま上方、下方と定義する。
【００１４】
本実施例１の電気機器１５の取付け構造は、図１に示すように、ユニットバスとして構成された浴室１０の壁板１１に電気機器１５を取り付けたものであり、電気機器１５の内部における電線２２の配索自由度を低下させることなく電気機器１５内への浸水を防止することを実現している。浴室１０を区画する壁板１１の外面（浴室１０とは反対側の面）と建物の躯体壁１２との間には、壁裏空間１３が形成されている。壁板１１には、浴室１０内と壁裏空間１３とを連通させる配線用開口部１４が形成されている。
【００１５】
電気機器１５は、照明器具として機能するものであり、機器本体１６と、台座ブラケット２４とを組み付けて構成されている。機器本体１６は、全体として横長の方形をなしており、合成樹脂製のケーシング１７と、通電により発光機能を発揮する機器機能部２１と、電線２２とを備えて構成されている。
【００１６】
ケーシング１７は、全体として横長の箱形をなし、横長の方形をなす支持板１８と、後面開放の箱形をなす透光性カバー２３とを備えて構成されている。支持板１８の前面には機器機能部２１が取り付けられている。支持板１８には、その前面から外面（ケーシング１７の背面１７Ｒ）へ貫通した形態の円形の電線引出孔１９が形成されている。支持板１８の背面１７Ｒには、円形の外嵌部２０が突出形成されている。外嵌部２０は、電線引出孔１９を概ね同心状に包囲するように配されている。透光性カバー２３は、支持板１８の前面（ケーシング１７の内面）を覆うような形態で支持板１８に組み付けられている。支持板１８とケーシング１７との隙間は液密状にシールされている。
【００１７】
機器機能部２１は、支持板１８の前面に取り付けられている。支持板１８に透光性カバー２３を取り付けた状態では、機器機能部２１はケーシング１７内に収容される。機器機能部２１は、通電により電気機器１５としての本来の機能を発揮する。機器機能部２１には電線２２が接続されている。機器機能部２１に接続された電線２２は、電線引出孔１９を通してケーシング１７（電気機器１５）の外部後方へ引き出されている。電線２２は、２本の電源線（図示省略）を並列状態で束ね、この２本の電源線を一括して絶縁性のシースで被覆することで１本のハーネス状に成形されている。
【００１８】
台座ブラケット２４は、合成樹脂製であり、横長の板状をなしている。台座ブラケット２４の前面には円筒形をなす取付部２５が形成されている。機器本体１６は、外嵌部２０を取付部２５に同心状に外嵌させた状態で、台座ブラケット２４に取り付けられている。台座ブラケット２４の後面２４Ｒには、取付部２５と同心の円形をなす位置決め突部２６が形成されている。位置決め突部２６は、配線用開口部１４に対して台座ブラケット２４を目視により位置決めするための目安としての機能と、パッキン２８を台座ブラケット２４に貼り付ける際の位置決めとしての機能と、台座ブラケット２４を壁板１１に固定したときにパッキン２８が潰れ過ぎないようにするための機能と、台座ブラケット２４をビス３３で壁板１１に固定したときにビス３３の締付け力によって台座ブラケット２４が不正に変形するのを防止する機能とを兼ね備えている。台座ブラケット２４には、台座ブラケット２４の前面から後面２４Ｒに貫通した形態の電線貫通孔２７が形成されている。電線貫通孔２７は、取付部２５及び位置決め突部２６で包囲された円形領域内に配されている。電線貫通孔２７の開口面積は配線用開口部１４の開口面積よりも小さく設定されている。
【００１９】
台座ブラケット２４は、ビス３３によって壁板１１の内面１１Ｆ（浴室１０内に臨む面）に固定されている。台座ブラケット２４を壁板１１に固定した状態では、台座ブラケット２４の位置決め突部２６が、壁板１１の配線用開口部１４を同心状に包囲する形態で壁板１１の内面１１Ｆに当接する。壁板１１の内面１１Ｆと直角に視た水平視において、電線貫通孔２７の開口領域は配線用開口部１４の開口範囲内のみに限定される。つまり、配線用開口部１４の開口領域は電線貫通孔２７の開口領域の全体を含む広い範囲となっている。台座ブラケット２４の後面２４Ｒと壁板１１の内面１１Ｆとの間にはパッキン２８が介装されている。パッキン２８は、位置決め突部２６及び配線用開口部１４を全周に亘って包囲するように配され、台座ブラケット２４の後面２４Ｒと壁板１１の内面１１Ｆとの隙間を液密状にシールする。
【００２０】
台座ブラケット２４を壁板１１に固定した後、機器本体１６を台座ブラケット２４に取り付ける。機器本体１６を台座ブラケット２４に取り付けた状態では、外嵌部２０が取付部２５に外嵌され、取付部２５の外周と外嵌部２０の内周との間にはシールリング２９が介装される。シールリング２９は、台座ブラケット２４の前面と機器本体１６（ケーシング１７）の背面１７Ｒとの隙間を液密状にシールする。電線引出孔１９の開口領域は、取付部２５で包囲された円形領域の範囲内のみとなっている。
【００２１】
壁板１１の内面１１Ｆに台座ブラケット２４と機器本体１６を取り付けた状態では、壁板１１の内面１１Ｆより浴室１０側に、電気機器１５の背面１７Ｒと台座ブラケット２４とで囲まれた壁裏連通空間３０が構成される。壁裏連通空間３０と浴室１０との間は、パッキン２８とシールリング２９とにより液密状にシールされている。機器本体１６の背面１７Ｒから壁裏連通空間３０内へ引き出された電線２２が、電線貫通孔２７と配線用開口部１４とに挿通される。壁裏空間１３内では、電線２２が配線用開口部１４の上方へ引き上げられるように配索される。
【００２２】
壁裏連通空間３０は、配線用開口部１４を介して壁裏空間１３と連通しているとともに、電線引出孔１９を介してケーシング１７内の空間と連通している。したがって、ケーシング１７（電気機器１５）の内部空間は、壁裏連通空間３０を介して壁裏空間１３と連通している。そのため、壁裏空間１３内の配線用開口部１４より高い位置で電線２２に水分が付着したり、電線２２の外周で結露が生じたりした場合に、その水分が、電線２２を伝って流れ落ち、壁裏連通空間３０内を経て電線引出孔１９に到達する可能性がある。
【００２３】
本実施例の電気機器１５は、下記の理由により、電線引出孔１９の開口縁と電線２２の外周との間にクリアランス３１を設けている。外径寸法の大きい２本の電源線を並列して束ねた電線２２は曲げ剛性が高いので、ケーシング１７内の狭小スペース内において、電線２２を小さい曲率半径で曲げることは困難である。そのため、電線引出孔１９の開口面積を電線２２の断面積より大きく設定して上記クリアランス３１を確保し、電線２２のうち機器機能部２１との接続端部２２Ｅの向きにばらつきがあっても、電線２２を、電線引出孔１９の開口縁に強く干渉させずにケーシング１７の後方へ引き出させるようにしている。
【００２４】
このように電線引出孔１９の開口縁と電線２２の外周との間にクリアランス３１があると、電線引出孔１９に到達した水分が電気機器１５（ケーシング１７）の内部に浸入することが懸念される。その対策として、壁裏連通空間３０内には押え部３２が設けられ、押え部３２に対し電線２２を下から当接させることで、壁裏連通空間３０内における電線２２の姿勢を、浸水できないような向きに矯正している。
【００２５】
押え部３２は、台座ブラケット２４に一体に形成されている。詳細には、押え部３２は、電線貫通孔２７の開口縁部に形成され、電線貫通孔２７の開口縁部のうち上縁部分を構成している。押え部３２の下端縁は水平な直線状をなし、押え部３２の水平方向の長さは、電線２２の最大外径寸法より大きい寸法に設定されている。押え部３２の下端縁と、電線貫通孔２７の開口縁部における最下端との間の上下寸法は、電線２２の最大外径寸法と同じか、それよりも大きい寸法に設定されている。押え部３２の下端縁の位置は、電線引出孔１９の開口縁部の上端よりも低い位置に配されている。
【００２６】
電線貫通孔２７に挿通された電線２２は、上から押え部３２により下向きに押圧される。ここで、電線２２のうちケーシング１７の背面１７Ｒと押え部３２との間の部分を、姿勢保持領域２２Ｈと定義する。押え部３２の高さは電線引出孔１９の上端より低い位置に設定されているので、電線２２の姿勢保持領域２２Ｈは、壁板１１（壁裏空間１３）側からケーシング１７の背面１７Ｒ側に向かって高くなるように傾斜した姿勢に矯正される。したがって、壁裏空間１３内で電線２２を伝って流れ落ちた水分が、壁裏連通空間３０内に浸入して押え部３２の真下位置（姿勢保持領域２２Ｈ）に至ったとしても、ケーシング１７の背面１７Ｒ（電線引出孔１９）にまで到達することはない。したがって、電線引出孔１９からケーシング１７の内部への浸水の虞はない。
【００２７】
また、電線２２のうち壁裏空間１３内に配索された下端部分を、屈曲領域２２Ｗと定義する。電線２２の屈曲領域２２Ｗは、壁裏空間１３から配線用開口部１４（壁裏連通空間３０）に向かって次第に低くなるように屈曲している。この屈曲領域２２Ｗの配索範囲は、壁裏空間１３内のみとされており、電線２２のうち屈曲領域２２Ｗと姿勢保持領域２２Ｈとの間の部分は、水平配索領域２２Ｌとなっている。水平配索領域２２Ｌの配索範囲は、壁裏連通空間３０のうち押え部３２と壁板１１の外面（壁裏空間１３に臨む面）との間の領域内となっている。したがって、壁裏空間１３内において電線２２を伝って流れ落ちた水分は、水平配索領域２２Ｌ内に浸入する前に、壁裏空間１３内で電線２２から滴下する。
【００２８】
本実施例の電気機器１５の取付け構造は、浴室１０を構成する壁板１１と、ケーシング１７の背面１７Ｒに形成した電線引出孔１９から電線２２を引き出させた形態の電気機器１５とを備えて構成されている。壁板１１には、浴室１０内と浴室１０外の壁裏空間１３とを連通させる配線用開口部１４が形成されている。電気機器１５は、背面１７Ｒを壁板１１の内面１１Ｆと対向させ、電線２２を配線用開口部１４から壁裏空間１３へ導出させた状態で壁板１１の内面１１Ｆ（浴室１０内）に取り付けられている。
【００２９】
壁裏空間１３内において電線２２が電気機器１５より高い位置へ向かって配索されているため、壁裏空間１３内で電線２２に付着した水が、電線２２を伝って流れ落ち、壁裏連通空間３０と電線引出孔１９を経てケーシング１７内に浸入することが懸念される。この対策として、本実施例では、ケーシング１７の背面１７Ｒよりも壁板１１側の領域（背面１７Ｒと壁板１１の内面１１Ｆとの間）に、電線２２を下方から当接させることで電線２２が上方へ変位することを規制可能な押え部３２を配した。ケーシング１７の背面１７Ｒから壁裏連通空間３０内へ引き出された電線２２が押え部３２に当接すると、電線２２のうちケーシング１７の背面１７Ｒと押え部３２との間の姿勢保持領域２２Ｈが、壁板１１側からケーシング１７側に向かって高くなるように傾斜した姿勢に保持される。
【００３０】
電線２２の姿勢保持領域２２Ｈを上記の向きに矯正したことにより、電線２２に付着した水は、電線引出孔１９に到達することなく、壁裏空間１３内において電線２２から滴下するようになっている。これにより、ケーシング１７の電線引出孔１９に防水用のグロメット（図示省略）を取り付ける必要がなくなったので、電線引出孔１９の内周縁（開口縁）と電線２２の外周との間にクリアランス３１を確保することができた。クリアランス３１を設けたことにより、ケーシング１７の内部における電線２２の配索の自由度が高められている。本実施例によれば、ケーシング１７内への浸水を防止した上で、グロメットを設けたことに起因して電線２２の配索自由度が低下することを回避できる。
【００３１】
また、電線２２が押え部３２に当接した状態では、電線２２のうち壁裏空間１３側から電気機器１５側に向かって低くなるように屈曲した屈曲領域２２Ｗが、壁裏空間１３内のみに配されている。この構成によれば、電線２２を伝って流れ落ちた水を、壁板１１より電気機器１５側の壁裏連通空間３０へ浸入させずに、壁裏空間１３内で確実に滴下させることができる。
【００３２】
また、押え部３２の下端は、ケーシング１７の背面１７Ｒにおける電線引出孔１９の開口縁の上端より低い位置に配されている。この構成によれば、電線２２が押え部３２に当接したときに、電線２２のうちケーシング１７の背面１７Ｒと押え部３２との間の姿勢保持領域２２Ｈを、壁板１１からケーシング１７に向かって高くなるように傾斜した姿勢に、確実に保持することができる。
【００３３】
また、電気機器１５は、機器機能部２１を備えた機器本体１６と、機器本体１６を壁板１１に固定するための台座ブラケット２４とを備えており、押え部３２を、台座ブラケット２４に一体に形成している。この構成によれば、台座ブラケット２４とは別に、押え部３２が形成された専用の部材を用いる場合に比べると、部品点数を削減することができる。
【００３４】
＜他の実施例＞
本発明は上記記述及び図面によって説明した実施例に限定されるものではなく、例えば次のような実施例も本発明の技術的範囲に含まれる。
（１）上記実施例では、電線のうち壁裏空間側から電気機器側に向かって低くなるように屈曲した屈曲領域が、壁裏空間の範囲内のみに配されるようにしたが、電線の屈曲領域の一部が、壁板より電気機器側に配されていてもよい。
（２）上記実施例では、押え部を、台座ブラケットの電線貫通孔の開口縁部に形成したが、台座ブラケットに電線貫通孔が形成されていない場合は、台座ブラケットの外周縁に押え部を形成してもよい。
（３）上記実施例では、電気機器の機器本体を壁板に固定するための台座ブラケットに、押え部を一体に形成したが、押え部が形成されている部品を台座ブラケットに取り付けてもよい。
（４）上記実施例では、押え部を台座ブラケットに設けたが、押え部は、台座ブラケット以外の部材（浴室の壁板等）に設けてもよい。壁板に押え部を設ける手段としては、壁板の配線用開口部の開口縁部に押え部を一体に形成してもよく、押え部が形成された部品を配線用開口部に取り付けて、押え部を配線用開口部の内部（壁板の厚さの範囲内）に位置するようにしてもよい。
（５）上記実施例では、押え部の下端が、ケーシングの電線引出孔の上端より低い位置に配されているが、押え部の下端は、電線引出孔の上端と同じ高さに配されていてもよい。
（６）上記実施例では、押え部が電線に対し真上（浴室天井側）から当接するようになっているが、左右一対の押え部が、１本の電線に対し斜め上方から当接するようにしてもよい。
（７）上記実施例では、電気機器が照明器具である場合について説明したが、本発明は、電気機器が風呂釜用リモコンや浴室用オーディオ機器等である場合にも適用できる。
（８）上記実施例では、電線が２本の電源線を並列して束ねた形態であるが、電線は、電源線と信号線を束ねた形態であってもよい。この場合、電源線の外径と信号線の外径は、同寸法でもよく、異なる寸法でもよい。
【符号の説明】
【００３５】
１０…浴室
１１…壁板
１１Ｆ…壁板の内面
１３…壁裏空間
１４…配線用開口部
１５…電気機器
１７…ケーシング
１７Ｒ…ケーシングの背面
１９…電線引出孔
２２…電線
２２Ｈ…電線の姿勢保持領域（電線のうちケーシングの背面と押え部との間の領域）
２２Ｗ…電線の屈曲領域
２４…台座ブラケット
３２…押え部
【図１】
2019149327.tif 000003
【図２】
2019149327.tif 000004
【図３】
2019149327.tif 000005